(57)【要約】【課題】何らかの部材を追加することなく、効率よく仕切り板１を形成でき、１つの被梱包物が梱包箱２内で移動しても他の被梱包物が破損されないようにする。【解決手段】梱包箱２の内部で用いられ、梱包箱２内部の梱包空間４０を仕切るための板状部材２２からなる仕切り板１であって、対向する２辺の端部より内側に、対向する２辺と平行に折り曲げ可能であって、折り曲げることにより第１仕切り部２０が形成されるとともに、折り曲げ部で、折り曲げた際に第２仕切り部２１が切り起こされて形成され、第２仕切り部２１は、起立状態から、切り起こし前の状態の方向に折り曲げ可能となっている。これにより、１枚の板状部材２２から、効率よく第１仕切り部２０と第２仕切り部２１が形成されるから、加工、作成も容易で使用資材が軽減され、コスト、環境等において有利な仕切り板１が提供される。【選択図】図３
2008030810.tif 000002
【特許請求の範囲】
【請求項１】
梱包箱の内部で用いられ、梱包箱内部の梱包空間を仕切るための板状部材からなる仕切り板であって、
対向する２辺の端部より内側に、前記対向する２辺と平行に折り曲げ可能であって、折り曲げることにより第１仕切り部が形成されるとともに、
前記折り曲げ部で、折り曲げた際に第２仕切り部が切り起こされて形成され、
前記第２仕切り部は、起立状態から、切り起こし前の状態の方向に折り曲げ可能となっていることを特徴とする仕切り板。
【請求項２】
段ボールで構成されており、段ボールの波板状中芯の波目の方向が、前記仕切り板の折り曲げ方向と垂直であることを特徴とする請求項１記載の仕切り板。
【請求項３】
請求項１又は２記載の仕切り板を内部に配置し、前記仕切り板により梱包空間が、複数に区切られる梱包箱。
【請求項４】
切り起こされた状態の前記仕切り板の前記第２仕切り部と対向する位置に、前記梱包箱の側部に扉が設けられており、
梱包完了後であっても、前記第２仕切り部を折り曲げつつ前記扉から被梱包物を入れることにより、被梱包物を追加できる梱包空間が形成されていることを特徴とする請求項３記載の梱包箱。
【請求項５】
前記扉と、前記仕切り板の前記第１仕切り部との間に梱包空間が形成されていることを特徴とする請求項３又は４記載の梱包箱。
【請求項６】
前記扉は、ミシン目により形成されていることを特徴とする請求項３乃至５いずれか一項に記載の梱包箱。
【発明の詳細な説明】
【技術分野】
【０００１】
本発明は、梱包箱の内部での梱包空間を仕切るために用いられる仕切り板及びその仕切り板を用いた梱包箱に関する。
【背景技術】
【０００２】
一般に、製品又は商品を、顧客に発送したり、製品集積所に搬送したり、海外に向けて輸出したりする際に、製品又は商品を梱包することが広く行われている。これは、製品又は商品の搬送の際に、傷が付くことで商品価値が下がることを防ぎ、故障や破損が発生することを防ぐため等の目的からなされている。
【０００３】
更に、製品又は商品を搬送する際に、複数の被梱包物を１つの単位としてまとめ、複数の被梱包物が、１つの梱包箱に梱包されるようにすることも行われている。これは、別々に搬送するよりもコスト、手間等の点で明らかに有利であるためである。
【０００４】
具体的には、例えば、製品が画像形成装置である場合、使用の際に必要となる電源コード、画像形成装置の説明書、トナー収納容器等の複数の部材が、１つの梱包箱に集合されて梱包される。その他、電気製品では、例えるならば、テレビ、デジタルカメラ、パーソナルコンピュータを始め、様々な製品で同様の梱包が行われている。又、電気製品だけでなく食料品や機械製品なども、説明書や付属する部材とともに、同様の梱包がなされている。即ち、非常に広範囲の分野で同様の梱包が行われている。
【０００５】
そして、複数の被梱包物を１つの梱包箱に梱包する際に、梱包箱内部に仕切りを設け、その仕切られた梱包箱内の空間ごとに、被梱包物が収納されるようにすることや、被梱包物それぞれを緩衝部材で包み、梱包箱内部にそれぞれ収納するといったことが行われている。
【０００６】
このような、複数の被梱包物を１つの梱包箱に収納することに対し、特許文献１に記載されるような段ボール箱が提案されている。特許文献１には、底壁と、周壁と、周壁の上縁に連結された中蓋片と、中蓋片を覆う外蓋片を備え、周壁は連なった第１乃至第４の側板で形成され、第３の側板の上縁に、前記外蓋片の下側に折り込まれる中蓋片が連結され、少なくとも１つの中蓋片の上縁に、箱内に折り込まれて箱の内底面から所定間隔離れた上方で箱内を仕切る仕切り片が連結されている商品収納用段ボール箱が示されている（請求項１、７、８、段落００３０、図１０及び図１１参照）。
【特許文献１】特開２００４−１７５４５４
【発明の開示】
【発明が解決しようとする課題】
【０００７】
一般に、複数の被梱包物を収納するため、梱包空間を複数の空間に仕切る際に、梱包箱内に仕切り板のようなものを１又は複数配置する。そして、１つの梱包箱に収納しようとする被梱包物が多いほど多数の仕切り板が必要となる。従って、効率よく仕切り板を設けなければ、資材の無駄が生ずるという問題がある。又、ただ単に仕切り板を梱包箱内部に配置しても、被梱包物が内部で移動してしまうということがある。特に、比較的重量物を内部に配置した場合に生ずる問題であり、時に、他の被梱包物に破損や、傷が生ずる。
【０００８】
ここで、特許文献１記載の段ボール箱では、上述のように、仕切り部を形成し、その仕切り部により仕切られた空間に、それぞれ被梱包物を収納して、梱包箱内部の被梱包物が移動しないようにしている。しかし、この段ボール箱は、あえてデッドスペースが設けられており、このデッドスペースに補強片を折り込み、仕切り部を補強して、梱包箱内部の被梱包物が移動しないようにしている（特許文献１の図１０及び１１参照）。従って、敢えてデッドスペースを設ける必要があり、効率の点で問題がある。
【０００９】
更に、特許文献１では、２つの被梱包物を収納しているが、この２つの被梱包物の高さとの兼ね合いで、仕切り片の形状が定まる。従って、被梱包物の組み合わせごとに、別途仕切り片の形状を変えた段ボール箱を用意しなくてはならない。従って、自由度の点で問題がある。更に、梱包箱に仕切り部を設けるという別途の加工が必要となっており、被梱包物によって梱包箱自体の加工が複雑になりかねないという問題もある。
【００１０】
又、特許文献１記載の発明では、一旦梱包が完了すると、段ボール箱を開けなければ、被梱包物を追加することができないという問題がある。製造業においては、輸出、輸入など国際的な商取引の機会も多い。特に製品を輸出する場合、その製品がその国で使用できるように適合させるため、例えば、各国毎に規格が異なる電源コードや、その国の公用語で書かれた説明書を後に追加できるようにしたいという要請がある。これにより、工場で輸出国ごとに梱包するという作業が不要となるからである。言い換えると、輸出先が多くなればなるほど、輸出国ごとの梱包が不要となれば、工場における作業や管理の効率化がはかられる。この点に対し、特許文献１記載の発明は対応できない。
【００１１】
本発明は、上記従来技術の問題点に鑑みてなされたものであり、何らかの部材を追加することなく、効率のよく仕切り板を形成でき、１つの被梱包物が梱包箱内で移動しても他の被梱包物が破損させられることがなく、様々な被梱包物に対応できる仕切り板を提供することを目的とする。更に、この仕切り板を用いることで容易に被梱包物を追加できる梱包箱を提供することを課題とする。
【課題を解決するための手段】
【００１２】
上記目的を達成するために、請求項１に係る発明は、梱包箱の内部で用いられ、梱包箱内部の梱包空間を仕切るための板状部材からなる仕切り板であって、対向する２辺の端部より内側に、前記対向する２辺と平行に折り曲げ可能であって、折り曲げることにより第１仕切り部が形成されるとともに、前記折り曲げ部で、折り曲げた際に第２仕切り部が切り起こされて形成され、前記第２仕切り部は、起立状態から、切り起こし前の状態の方向に折り曲げ可能となっていることとした。
【００１３】
請求項２に係る発明は、請求項１に係る発明において、前記仕切り板は、段ボールで構成されており、段ボールの波板状中芯の波目の方向が、前記仕切り板の折り曲げ方向と垂直であることとした。
【００１４】
請求項３に係る発明は、梱包箱において、請求項１又は２記載の仕切り板を内部に配置し、前記仕切り板により梱包空間が、複数に区切られることとした。
【００１５】
請求項４に係る発明は、請求項３に記載の発明において、切り起こされた状態の前記仕切り板の前記第２仕切り部と対向する位置に、前記梱包箱の側部に扉が設けられており、
梱包完了後であっても、前記第２仕切り部を折り曲げつつ前記扉から被梱包物を入れることにより、被梱包物を追加できる梱包空間が形成されていることとした。
【００１６】
請求項５に係る発明は、請求項３又は４に記載の発明において、前記扉と、前記仕切り板の前記第１仕切り部との間に梱包空間が形成されていることとした。
【００１７】
請求項６に係る発明は、請求項３乃至５のいずれか１項に記載の発明において、前記扉は、ミシン目により形成されていることとした。
【発明の効果】
【００１８】
請求項１記載の発明によれば、別部材を追加することなく、１枚の板状部材から、効率よく第１仕切り部と第２仕切り部が形成されるから、加工、作成も容易で使用資材が軽減され、コスト、環境等において有利な仕切り板が提供される。又、第２仕切り部は、起立状態から、切り起こし前の状態の方向にのみ折り曲げ可能となっているから、被梱包物が移動しても、第２仕切り部によりその移動が遮られ、他の被梱包物が破損させられることがない。
【００１９】
更に、前記梱包箱の側部に開閉可能な扉が設けられているような梱包箱内部に、この仕切り板を配置すれば、梱包完了後であっても、第２仕切り部を折り曲げつつ扉から被梱包物を入れることにより、被梱包物を追加することができる。即ち、別途仕切り板を追加したり、仕切り板を取り外したり、仕切り板を壊したりすることのない仕切り板が提供される。
【００２０】
請求項２記載の発明によれば、段ボールの波板状中芯の波目の方向が、仕切り板の折り曲げ方向と垂直であるから、波目の方向が、仕切り板の折り曲げ方向と平行である場合に比べ、第２仕切り部が起立し易くなる。即ち、段ボールのもつ弾性により第２仕切り部の起立状態が維持される。
【００２１】
請求項３記載の発明によれば、仕切り板として、請求項１又は２記載の仕切り板を使用しているので、効率よく梱包箱内の梱包空間が複数に仕切られ、梱包箱全体の使用資材を軽減することができる。又、仕切り板の大きさや折り曲げ部の位置を調整することで、様々な被梱包物に対して容易に対応でき、梱包箱自体の形状を変える必要がない。
【００２２】
請求項４記載の発明によれば、梱包完了後であっても梱包箱の側部の扉から被梱包物を追加することができ、最初の梱包時に必要な被梱包物の全てを梱包する必要がなくなる。しかも、第２仕切り部は、折り曲げ可能となっているから、仕切り板を追加したり、仕切り板に穴を開けたり、取り外したりすることなく、第２仕切り部で仕切られた梱包空間に追加の被梱包物を収納できる。更に、追加の被梱包物は、梱包箱内部での移動が制限されるから、たとえ重量物を追加しても、他の被梱包物が破損させられることがない。
【００２３】
請求項５記載の発明によれば、第２仕切り部で仕切られた梱包空間に被梱包物が追加される際に、第２仕切り部に併せて第１仕切り部が折り曲げ前の状態に戻るような力が働くが、このような力が働いても扉と第１仕切り部との間に載置された被梱包物がその力を受け止め、第１及び第２仕切り部の起立状態が維持される。
【００２４】
請求項６記載の発明によれば、容易に扉部を設けることが可能である。又、梱包当初から扉が開いている状態ではなく、被梱包物を追加する場合といった所望時に、扉を容易に開けることができる。
【発明を実施するための最良の形態】
【００２５】
以下、本発明の第１の実施形態について図１〜４を参照しつつ説明する。本実施形態では、仕切り板１を用いて、１つの梱包箱２に画像形成装置１０とその他の部材を同時に梱包する場合について説明する。又、仕切り板１と梱包箱２は、梱包に良く用いられる段ボールからなる場合について説明する。但し、本実施形態に記載されている構成、配置、被梱包物等の各要素は、発明の範囲を限定するものではなく単なる説明例にすぎず、本発明の範囲はこれに限定されない。
【００２６】
まず、図１を用いて、本発明の第１の実施形態における梱包の全体の概略を説明する。図１は、本発明の第１の実施形態に係る梱包の全体の概略を示す斜視図である。
【００２７】
図１に示すように、梱包箱２に収納される各部材は、仕切り板１、画像形成装置１０、下緩衝部材１１、上緩衝部材１２、集合梱包材１３、冊子１４、廃トナーボトル１５、電源コード１６からなっている。
【００２８】
本実施形態における梱包箱２は、未封状態では、上面が開口されるようになっている。又、梱包箱２は、四角形状の底面部２ａ、４面の四角形状の側壁部２ｂ、各側壁部２ｂの上縁のそれぞれに設けられた蓋部２ｃから構成される。そして、梱包完了状態では、梱包箱２は、直方体若しくは立方体となる。尚、本発明は、梱包箱２が、直方体若しくは立方体とは限られず、円柱形状でも多角柱形状でもよい。
【００２９】
この梱包箱２の最下部には、画像形成装置１０が上方に載置される下緩衝部材１１が配置される。この下緩衝部材１１の水平面での大きさは、梱包箱２内部に配置された際、梱包箱２内部で移動しないように、梱包箱２の開口面の大きさとほぼ同じ大きさであり、かつ、画像形成装置１０の水平面における大きさよりも大きく形成されている。そして画像形成装置１０が、下緩衝部材１１上の略中心に合わせて載置され、画像形成装置１０は、梱包箱２の底面部２ａから浮いた状態で下緩衝部材１１に支持される。
【００３０】
一方、画像形成装置１０の上面には、上緩衝部材１２が嵌め込まれるように配置される。下緩衝部材１１と同様に、上緩衝部材１２の水平面における大きさは、梱包箱２の開口面の大きさとほぼ同じ大きさであり、画像形成装置１０の水平面における大きさよりも大きく形成されている。そして、画像形成装置１０は、下緩衝部材１１と上緩衝部材１２とで上下方向に挟まれるようにして梱包箱２内部に収納される。これにより、上下方向及び前後左右方向の衝撃が画像形成装置１０に加わっても、上緩衝部材１２及び下緩衝部材１１によって、衝撃が緩められ、画像形成装置１０に傷、破損が生ずることが防がれる。
【００３１】
上緩衝部材１２の上方には、緩衝機能を有する集合梱包材１３が載置される。この集合梱包材１３には、例えば、トナー収納容器やクリーニング部材等、画像形成装置１０と同時に使用されるものが梱包され得る。図１に示す集合梱包材１３では、３つの部材を集合させかつ梱包することができるが、例えば４つの部材を集合させるような形状にしてもよいし、２つの部材を集合させるような形状としてもよいし、適宜設計可能である。
【００３２】
集合梱包材１３の上面には仕切り板１が配されるが、仕切り板１の詳細な構成については、後述する。
【００３３】
又、図１に示すように、その他梱包箱２に同時に梱包される部材として、冊子１４、廃トナーボトル１５、電源コード１６等があり、これは一例にすぎない。例えば、冊子１４は、仕切り板１の上方に載置され、例えば説明書のようなものである。廃トナーボトル１５は、廃トナーを回収するための容器であり、電源コード１６は、同梱されている画像形成装置１０と電源をつなぐためのものである。このようにして、複数の部材が、梱包箱２に収納される。
【００３４】
次に、図２に基づき、仕切り板１の構成について詳述する。図２（ａ）及び（ｂ）は、仕切り板１の裏面図であり、図２（ｃ）は、第１仕切り部２０及び第２仕切り部２１を前方として、右斜め上方からみた斜視図である。
【００３５】
図２（ａ）に示すように、仕切り板１は、１枚の板状部材２２であって、長方形状の板状部材２２の４隅の角を面取りしたようになっている。そして、図２（ａ）の破線で示すように、図２の左右方向の対向する２辺の端部より内側であって、図２の左に第１折り曲げ部２３、右側に第２折り曲げ部２４が形成されている。この第１折り曲げ部２３及び第２折り曲げ部２４には、例えば、罫線やミシン目が仕切り板１の裏面側に入れられており、折り曲げ可能となる処理がなされている。又、仕切り板１の表面側には罫線等は入れられておらず、第１折り曲げ部２３及び第２折り曲げ部２４の折り曲げることができる方向は、一方向のみである。
【００３６】
又、図２（ａ）に示すように、第１折り曲げ部２３の一部を底辺として、上辺が仕切り板１の中心方向側に位置するように、略台形状の切り込み線２５が仕切り板１に設けられている。言い換えると、第１折り曲げ部２３の途中から途中まで迂回するように略コ字状の切り込み線２５が仕切り板１に設けられている。尚、底辺とした第１折り曲げ部２３は、切り込まれていない。
【００３７】
そして、図２（ａ）に示すように、第１折り曲げ部２３から左端にかけての部分が第１仕切り部２０となり、第１折り曲げ部２３と切り込み線２５に囲まれた領域が第２仕切り部２１となる。一方、第２折り曲げ部２４から仕切り板１の右端にかけての部分は、梱包箱２の側壁部２ｂと接触する側壁接触部２６となる。
【００３８】
ここで、仕切り板１の第１折り曲げ部２３と、第２折り曲げ部２４の折り曲げについて説明する。図２（ａ）に示す破線に沿って仕切り板１を折り曲げるが、まず、第１折り曲げ部２３について述べると、上述したように、仕切り板１の裏面側にしか罫線等の折り曲げ可能とする処理がなされていないから、紙面からみて手前方向に第１仕切り部２０が引き起こされるように折り曲げられる。一方、第２折り曲げ部２４も同様に、紙面からみて手前方向に側壁接触部２６が引き起こされるように折り曲げられる。
【００３９】
上記折り曲げ動作を、図２（ｃ）を参照して更に説明する。図２（ｃ）は、折り曲げ後の状態を示している。第１折り曲げ部２３で、仕切り板１を折り曲げることにより、第２仕切り部２１が切り起こされる。従って、第１仕切り部２０と第２仕切り部２１は、いずれも略垂直に起立する。第１仕切り部２０と第２仕切り部２１の位置関係を上下方向で言うと、第１仕切り部２０が下方であり、第２仕切り部２１が上方に位置する。
【００４０】
ここで、図２（ｃ）の破線で示すように、第２仕切り部２１の付け根部分２７では、仕切り板１の裏面側に罫線等が入れられているから、第２仕切り部２１は、切り起こし前の状態の方向に折り曲げ可能となっている。第２仕切り部２１は、図２（ｃ）の２点鎖線で示す方向にしか折り曲げ可能となっていないから、仕切り板１の上側に被梱包物を配しても、側壁接触部２６と接する側壁部２ｂと第２仕切り部２１との間でのみ移動し、他の被梱包物を破損することはない。又、仕切り板１の有する弾性により、第２仕切り部２１は、起立状態を維持する。尚、第２折り曲げ部２４を折り曲げることにより形成された側壁接触部２６は、側壁部２ｂに当接させられ仕切り板１の位置決めのずれを防ぐ。
【００４１】
次に、図２（ａ）、（ｃ）に基づき、仕切り板１の段ボールの波目３０方向について説明する。図２（ａ）、（ｃ）に示すように、仕切り板１の外皮部分を一部取り除き、波板状中芯の波目３０を見てみると、波目３０の方向は、仕切り板１の第１折り曲げ部２３及び第２折り曲げ部２４の折り曲げ方向と垂直な方向となっている。このようにすることで波目３０の方向が、仕切り板１の折り曲げ部の折り曲げ方向と平行な方向の場合よりも、段ボールのもつ弾性により第２仕切り部２１が起立し易くなる。
【００４２】
次に、図３に基づき、第１の実施形態に係る仕切り板１を内部に配置した梱包箱２の具体的な構成について述べる、図３は、第１の実施形態に係る梱包箱２について説明するための断面図である。
【００４３】
尚、図３（ａ）は、被梱包物を追加する前の状態の梱包箱２を示す断面図である。図３（ｂ）は、被梱包物を追加している状態の梱包箱２を示す断面図である。図３（ｃ）は、被梱包物を追加し終えた後の状態を示す断面図である。
【００４４】
まず、図３（ａ）を参照しつつ、被梱包物を追加する前の状態の梱包箱２について説明する。梱包箱２内部に配された上緩衝部材１２の上部には、仕切り板１が配されており、この仕切り板１により、梱包空間４０が３つの梱包空間４０Ａ、４０Ｂ、４０Ｃに仕切られている。ここで、梱包空間４０Ａは、後に被梱包物を追加するために設けられた空間であり、図３（ａ）では、何ら被梱包物を収納していない状態である。梱包空間４０Ａは、梱包箱２の蓋部２ｃと、第２仕切り部２１と仕切り板１の間に設けられている。
【００４５】
又、梱包空間４０Ｂは、第１仕切り部２０及び第２仕切り部２１の右方であって、第１仕切り部２０及び第２仕切り部２１と対向するように設けられた扉４１を有する側壁部２ｂとの間に設けられた空間である。梱包空間４０Ｂには、本実施形態では廃トナーボトル１５や電源コード１６が収納される（尚、本実施形態では、電源コード１６は、後に追加する被梱包物とする。）。廃トナーボトル１５や電源コード１６は、そのまま梱包空間４０Ｂに収納してもよいし、例えば、別途箱や袋に入れる等してもよい。図３（ａ）〜（ｃ）では廃トナーボトル１５や電源コード１６を箱に入れた状態を示している。
【００４６】
梱包空間４０Ｃは、仕切り板１とその第１仕切り部２０と上緩衝部材１２に囲まれた空間であって、本実施形態では、集合梱包材１３が配されている。尚、集合梱包材１３には、本実施形態では、トナー収納容器４２が配されている。ここで、梱包空間４０Ｂに隣接する梱包箱２の側壁部２ｂには扉４１が設けられており（図１参照）、梱包箱２の側壁部２ｂに例えばミシン目により形成されている。図３（ａ）では、未だ扉４１は開けられていない状態であり、一旦この状態で梱包が完了する。
【００４７】
次に、図３（ｂ）を参照しつつ、被梱包物が追加される場合について説明する。本実施形態では、梱包空間４０Ａに説明書等の冊子１４が追加される場合について説明する。梱包空間４０Ａに被梱包物を後に追加する場合、まず、扉４１を開く。これにより、一旦完了した梱包を開けることなく、被梱包物を追加できる。そして、冊子１４を扉４１から挿入し、第２仕切り部２１を冊子１４により倒しつつ梱包空間４０Ａに入れていく。第２仕切り部２１は、図３（ｂ）の矢印で示す方向に倒れるようになっているから、仕切り板１を取り出したり、壊したりすることなく冊子１４が梱包空間４０Ａに収納される。
【００４８】
ここで、第２仕切り部２１を倒すように冊子１４を挿入するから、この動きに併せて、段ボールの持つ弾性により、第１仕切り部２０は、図３（ｂ）の状態から第１仕切り部２０と第２仕切り部の境目を中心４３として、反時計方向に回転するように動く力が働く。しかし、梱包空間４０Ｂに例えば電源コード１６や廃トナーボトル１５を収納しておけば、第１仕切り部２０が回転しようとする力を、廃トナーボトル１５等が受け止める。
【００４９】
そして、図３（ｃ）に示すように、梱包空間４０Ａに冊子１４が収納されれば、第２仕切り部２１は、仕切り板１自体の持つ弾性により、起立状態に、即ち、図３（ｃ）の矢印で示す方向に自ら戻る。しかも、第１仕切り部２０は、梱包空間４０Ｂに収納された部材により、上緩衝部材１２に対する直立状態が維持されているから、第２仕切り部２１の起立状態への復帰が尚更促される。
【００５０】
更に、第２仕切り部２１は、仕切り板１の裏面側のみに罫線等が入れられ折り曲げ可能とされているので、第２仕切り部２１は、起立状態以上には、梱包空間４０Ｂの方向に折り曲げられない。そうすると、梱包空間４０Ａに収納された冊子１４が、梱包空間４０Ｂの方向に移動しようとしても第２仕切り部２１により移動を妨げられる。従って、本実施形態で言えば、梱包空間４０Ａに収納された冊子１４により、梱包空間４０Ｂに収納されている廃トナーボトル１５や電源コード１６が、傷つけられたり、破損させられたりすることがない。
【００５１】
このように構成することで、梱包完了後であっても、開梱することなく被梱包物が追加され得る。本実施形態における画像形成装置１０について言えば、画像形成装置１０を輸出する場合、説明書等の冊子１４は、各国の言語に対応したものとなる。工場からの出荷時における梱包の際に、説明書等を輸出国における使用言語毎に梱包することは、輸出国が多くなればなるほど作業的、管理的に煩雑となる。更に、各国においてコンセントの形状は様々であって、電源コード１６の梱包においても同様のことが言える。
【００５２】
ここで、世界各国への輸出における梱包作業を画一的なものとするため、例えば、異なる言語で書かれた説明書等の複数を１つにまとめて製本することも考えられるが、この場合、説明書は非常に厚いものとなってしまう。このような対応は、コスト、環境等の面で合理的ではない。又、複数の電源コード１６を梱包しておくというようにしても、顧客が使用することのない電源コード１６を梱包することになり同様に合理的ではない。そこで、本実施形態に示したように、仕切り板１の第２仕切り部２１が、折り曲げ可能とされ、梱包箱２に扉４１が設けられるようにすれば、説明書等や電源コード１６は、追加的に梱包され得るものとなる。尚、上記の事情は、画像形成装置１０に限らず、種々の電気・電子製品や機械製品等でも同様と言える。
【００５３】
具体的に言うならば、説明書等の冊子１４や電源コード１６は、港から輸出する際でもよいし、輸出国の港や製品集積所に搬入された際でもよいし、各国の顧客に製品が納入される直前でもよいが、各時点において追加されるようにすればよい。そして、被梱包物を追加後は、扉４１は、例えば、粘着テープ等により封止されるようにしてもよいし、問題がなければ、封止作業をしなくてもよい。
【００５４】
次に、図４に基づき、本発明の第２の実施形態について述べる。図４（ａ）は、本発明の第２の実施形態に係る梱包箱５０を示す斜視図であり、図４（ｂ）は、その断面図である。
【００５５】
尚、第２の実施形態の基本的な構成は、図１〜４を用いて説明した上記の第１の実施形態と同じであるから、上記の実施形態と共通する構成については、図面の符号は、共通のものを用い、説明を省略する。即ち、共通する部分は、図１〜４を用いて説明した第１の実施形態と同様にすればよい。
【００５６】
まず、第１の実施形態と異なる点について言うと、第１の実施形態では、画像形成装置１０が梱包箱２に納められることもあって比較的大型の梱包箱２が用いられていたが、第２の実施形態にあっては、梱包箱５０に納められるのは、第１の実施形態における上緩衝部材１２より上方に梱包されていた部分である。第２の実施形態でも、被梱包物は、集合梱包材１３や廃トナーボトル１５等としている。尚、第２の実施形態の梱包箱５０を第１の実施形態の上緩衝部材１２の上方に載置することももちろん可能である。
【００５７】
ここで、第２の実施形態では、被梱包物は、集合梱包材１３や廃トナーボトル１５等とされているが、これに限られるものではない。画像形成装置１０において言えば、トナー収納容器やクリーニング部材等のメンテナンス用の部材をまとめて収納してもよい。又、例えば、小型の電気・電子機器の梱包に使用してもよいし、種々の製品の梱包に用いられ得るから汎用性は高いものである。
【００５８】
このようにして、梱包箱２の内部で用いられ、梱包箱２内部の梱包空間４０を仕切るための板状部材２２からなる仕切り板１であって、対向する２辺の端部より内側に、対向する２辺と平行に折り曲げ可能であって、折り曲げることにより第１仕切り部２０が形成されるとともに、折り曲げ部で、折り曲げた際に第２仕切り部２１が切り起こされて形成され、前記第２仕切り部２１は、起立状態から、切り起こし前の状態の方向に折り曲げ可能となっているようにすれば、別部材を追加することなく、１枚の板状部材２２から、効率よく第１仕切り部２０と第２仕切り部２１が形成されるから、加工、作成も容易で使用資材が軽減され、コスト、環境等において有利な仕切り板１が提供される。又、第２仕切り部２１は、起立状態から、切り起こし前の状態の方向にのみ折り曲げ可能となっているから、被梱包物が移動しても、第２仕切り部２１によりその移動が遮られ、他の被梱包物が破損させられることがない。
【００５９】
更に、前記梱包箱２の側部に開閉可能な扉４１が設けられているような梱包箱２内部に、この仕切り板１を配置すれば、梱包完了後であっても、第２仕切り部２１を折り曲げつつ扉４１から被梱包物を入れることにより、被梱包物を追加することができる。即ち、別途仕切り板１を追加したり、仕切り板１を取り外したり、仕切り板１を壊したりすることのない仕切り板１が提供される。
【００６０】
又、仕切り板１は、段ボールで構成されており、段ボールの波板状中芯の波目３０の方向が、前記仕切り板１の折り曲げ方向と垂直であるようにすれば、仕切り板１の折り曲げ方向と垂直であるから、波目３０の方向が、仕切り板１の折り曲げ方向と平行である場合に比べ、第２仕切り部２１が起立し易くなる。即ち、段ボールのもつ弾性により第２仕切り部２１の起立状態が維持される。
【００６１】
又、上記の仕切り板１を内部に配置し、仕切り板１により梱包空間４０が、複数に区切られるようにすれば、仕切り板１として、上記の仕切り板１を使用しているので、梱包箱２内の梱包空間４０が仕切られるとともに、梱包箱２全体の使用資材を軽減することができる。又、仕切り板１の折り曲げ部の位置を調整することで、様々な被梱包物に対して容易に対応でき、梱包箱２自体の形状を変える必要がない。
【００６２】
又、切り起こされた状態の仕切り板１の第２仕切り部２１と対向する位置に、梱包箱２の側部に扉４１が設けられており、梱包完了後であっても、第２仕切り部２１を折り曲げつつ扉４１から被梱包物を入れることにより、被梱包物を追加できる梱包空間４０Ａが形成されるようにすれば、梱包完了後であっても梱包箱２の側部の扉４１から被梱包物を追加することができ、最初の梱包時に必要な被梱包物の全てを梱包する必要がなくなる。しかも、第２仕切り部２１は、折り曲げ可能となっているから、仕切り板１を追加したり、仕切り板１に穴を開けたり、取り外したりすることなく、第２仕切り部２１で仕切られた梱包空間４０Ａに追加の被梱包物を収納できる。更に、追加の被梱包物は、梱包箱２内部での移動が制限されるから、たとえ重量物を追加しても、他の被梱包物が破損させられることがない。
【００６３】
又、扉４１と、仕切り板１の第１仕切り部２０との間に梱包空間４０Ｂが形成されるようにすれば、第２仕切り部２１で仕切られた梱包空間４０Ａに被梱包物を追加する際に、仕切り板１を折り曲げ前の状態に戻すような力が働いても、扉４１と第１仕切り部２０との間に載置された被梱包物がその力を受け止め、第１及び第２仕切り部２１の起立状態が維持される。
【００６４】
更に、扉４１は、ミシン目により形成されているようにすれば、容易に扉４１部を設けることが可能である。又、梱包当初から扉４１が開いている状態ではなく、例えば、被梱包物を追加する場合というように所望時に、扉４１を容易に開けることができる。
【産業上の利用可能性】
【００６５】
本発明は、梱包箱に用いられる仕切り板及びこれを用いた梱包箱において利用可能である。
【図面の簡単な説明】
【００６６】
【図１】本発明の第１の実施形態に係る梱包の全体の概略を示す斜視図である。
【図２】本発明の第１の実施形態に係る仕切り板の裏面図及び斜視図であり、（ａ）及び（ｂ）は裏面図であり、（ｃ）は、第１仕切り部及び第２仕切り部を前方として、右斜め上方からみた斜視図である。
【図３】本発明の第１の実施形態に係る梱包箱２について説明するための断面図である。（ａ）は、被梱包物を追加する前の状態、（ｂ）は、被梱包物を追加している状態、（ｃ）は、被梱包物を収納し終えた後の状態を示す。
【図４】本発明の第２の実施形態に係る梱包箱を示す斜視図及び断面図であり、（ａ）が斜視図、（ｂ）が断面図である。
【符号の説明】
【００６７】
１      仕切り板
２      梱包箱
５０    梱包箱
２０    第１仕切り部
２１    第２仕切り部
２２    板状部材
２３    第１折り曲げ部
３０    波目
４０Ａ  梱包空間
４０Ｂ  梱包空間
４０Ｃ  梱包空間
４１    扉
【図１】
2008030810.tif 000003
【図２】
2008030810.tif 000004
【図３】
2008030810.tif 000005
【図４】
2008030810.tif 000006